(57)【特許請求の範囲】
【請求項１】
装置本体上にカッターを内蔵するカッター部を配し、上記装置本体内に上記カッター部で細かく裁断した紙屑等を収納する容器を備えるシュレッダーにおいて、上記装置本体が前面側に開閉扉を有し、該開閉扉の上端部に上記装置本体内へ通じる開口部を設けて上記容器へのごみ等の投入を可能とするとともに、上記装置本体と上記カッター部との間に、上記カッターで裁断した紙屑等の落下経路を開閉する手段を配してなり、かつ上記開閉扉の開・閉と上記落下経路の開閉手段の閉・開を連動させる手段を備え、上記落下経路を開閉する手段は、上記開閉扉が閉じたままの状態において上記連動手段によらず閉じることが可能であることを特徴とするシュレッダー。
【請求項２】
上記落下経路の開閉手段が、水平状態の閉位置と垂下状態の開位置の間を回転可能な一対のシャッターブレードからなり、これら一対のシャッターブレードを対向配置し、上記水平状態の閉位置において両シャッターブレードの先端が重なり合うようにしたことを特徴とする請求項１のシュレッダー。
【請求項３】
上記連動手段が、前方側の上記シャッターブレードを回転駆動するギヤ装置と、該ギヤ装置を回転駆動するカム装置と、該カム装置を付勢して上記前方側のシャッターブレードが上記水平状態の閉位置を取るように回転付勢する手段とからなり、上記ギヤ装置が、上記シャッターブレードの回転軸と一体回転する従動ギヤと、該従動ギヤと噛み合うように軸支した駆動ギヤとからなり、上記カム装置が、上記ギヤ装置の駆動ギヤと同軸に支持したカムプレートと、上記容器または上記開閉扉に内側へ向けて設けた上記カムプレートを回転させる部材とからなることを特徴とする請求項１または２のシュレッダー。
【請求項４】
上記ギヤ装置の上記従動ギヤが、上記シャッターブレードの水平状態の閉位置と垂下状態の開位置の間に対応する角度分だけ歯を有することを特徴とする請求項３のシュレッダー。
【請求項５】
紙等の被裁断物を上記カッターへ導入するための部材が、上方側より下方側が狭まるテーパ状の導入口を有する導入部と、該導入部より上方に位置する凹状受け部からなり、該凹状受け部が、上記カッター部の頂面において上記導入口の上方側開口よりその全周方向で広がった形状を有することを特徴とする請求項１から４のいずれかのシュレッダー。
【発明の詳細な説明】
【０００１】
【発明の属する技術分野】
本発明は、紙等を細かく裁断するためのシュレッダーに関する。
【０００２】
【従来の技術及び発明が解決しようとする課題】
周知のようにシュレッダーは紙等を細く、あるいは非常に細かく裁断してしまうものであり、個人、法人を問わずオフィス等で広く使用されている。一般的なシュレッダーの使用形態としては一フロアに一台を設置して複数の使用者がこれを共用とするようになっていたが、近年では小型のシュレッダーをデスク脇において、一人の使用者がほぼ単独で個人的に使用する形態も増えてきている。このような使用形態は、裁断する紙等を持っていちいち共用のシュレッダーの設置場所まで出向くという面倒がなく、非常に使い勝手のよいものである。
【０００３】
また一般的なシュレッダーの構造としては、大型、小型にかかわらず、細かく裁断したごみ（以下ではチップという。）を装置本体内部の容器（以下ではチップバスケットという。）に収納し、所定量のチップが溜まったところでシュレッダー内からチップバスケットを取り出してチップを捨てるようになっている。ところが、チップを捨てる作業が面倒なために、チップバスケット内が満杯になっていったんチップを捨てなければ使用し続けられない状態になっても、チップを手等で圧縮して見掛け上の体積を減らしてそのまま使用し続けることが多い。シュレッダー内からチップバスケットを完全に取り出してこのようなチップの圧縮を行うのであれば特段の問題はないが、チップバスケットを取り出すのが面倒で、ごみ投入用の開口から手を入れてチップを圧縮しようとすることがある。またチップを圧縮することなどとは関係なく、ふざけて手を入れることもある。そのような場合、カッターに手が触れたり、衣服のそで口がカッターに巻き込まれたりして大怪我をする可能性が高くなる。このような危険性は、小型でカッター部が分離独立しており、チップバスケット上にカッター部を単に搭載して使用するタイプのものでは非常に高くなる。
【０００４】
そこで本発明は、どのようなタイプのものであっても、ごみの投入口から人が手を入れてもカッターに触れたりして怪我をすることのない安全なシュレッダーを提供することを目的とする。
【０００５】
【課題を解決するための手段】
本発明のシュレッダーのうち請求項１に係るものは、上記目的を達成するために、装置本体上にカッターを内蔵するカッター部を配し、上記装置本体内に上記カッター部で細かく裁断した紙屑等を収納する容器を備えるシュレッダーにおいて、上記装置本体が前面側に開閉扉を有し、該開閉扉の上端部に上記装置本体内へ通じる開口部を設けて上記容器へのごみ等の投入を可能とするとともに、上記装置本体と上記カッター部との間に、上記カッターで裁断した紙屑等の落下経路を開閉する手段を配してなり、かつ上記開閉扉の開・閉と上記落下経路の開閉手段の閉・開を連動させる手段を備え、上記落下経路を開閉する手段は、上記開閉扉が閉じたままの状態において上記連動手段によらず閉じることが可能であることを特徴とする。
【０００６】
同請求項２に係るシュレッダーは、上記目的を達成するために、上記落下経路の開閉手段が、水平状態の閉位置と垂下状態の開位置の間を回転可能な一対のシャッターブレードからなり、これら一対のシャッターブレードを対向配置し、上記水平状態の閉位置において両シャッターブレードの先端が重なり合うようにしたことを特徴とする。
【０００７】
同請求項３に係るシュレッダーは、上記目的を達成するために、上記連動手段が、前方側の上記シャッターブレードを回転駆動するギヤ装置と、該ギヤ装置を回転駆動するカム装置と、該カム装置を付勢して上記前方側のシャッターブレードが上記水平状態の閉位置を取るように回転付勢する手段とからなり、上記ギヤ装置が、上記シャッターブレードの回転軸と一体回転する従動ギヤと、該従動ギヤと噛み合うように軸支した駆動ギヤとからなり、上記カム装置が、上記ギヤ装置の駆動ギヤと同軸に支持したカムプレートと、上記容器または上記開閉扉に内側へ向けて設けた上記カムプレートを回転させる部材とからなることを特徴とする。
【０００８】
同請求項４に係るシュレッダーは、上記目的を達成するために、上記ギヤ装置の上記従動ギヤが、上記シャッターブレードの水平状態の閉位置と垂下状態の開位置の間に対応する角度分だけ歯を有することを特徴とする。
【０００９】
同請求項５に係るシュレッダーは、上記目的を達成するために、紙等の被裁断物を上記カッターへ導入するための部材が、上方側より下方側が狭まるテーパ状の導入口を有する導入部と、該導入部より上方に位置する凹状受け部からなり、該凹状受け部が、上記カッター部の頂面において上記導入口の上方側開口よりその全周方向で広がった形状を有することを特徴とする。
【００１１】
【発明の実施の形態】
以下本発明の実施の形態を図面を参照して説明する。
図１は本発明に係るシュレッダーの一実施形態の斜視図、図２は同断面図である。図示のように本実施形態のシュレッダーは、直方体状で縦長の装置本体１上にカッター部２を搭載し、また装置本体１の前面側には前ドア３が開閉可能に側縁でヒンジ（図示せず）により支持してある。なお、装置本体１の底面にはキャスター４が設けてあり、このシュレッダー全体が床面上等を容易に移動できるようにしてある。
【００１２】
カッター部２は、上面カバー５の上に用紙投入口６を開口させるとともに、操作パネル７及び電源スイッチ８を備え、上面カバー５の左右両側面には運搬用の取っ手となる凹部９（図では右側のみを示す。）を形成してある。また上面カバー５の内側には、略円筒状の一対の刃からなるカッター１０と、これを回転駆動するモータ１１とがカッター部２のフレーム１２及び中間板１３によって支持固定してある。そして中間板１３のカッター１０を支持する部分には、上面部の一部を切り欠いて、上方側より下方側が狭まるテーパ状の用紙導入口１４を有する導入部材１５が設けてあり、底部を開放してカッター１０で裁断したチップを、装置本体１内のチップバスケット１６内へ落下させ得るようにしてある。なおチップバスケット１６はワイヤーを組み合わせてなるもので、実際の使用時には内側にビニール袋等のゴミ袋を取り付ける。
【００１３】
用紙投入口６は、上述した導入部材１５と、カッター部２の上面カバー５に一体に形成したチップ受け凹部５ａとからなる。この種のシュレッダーは一般に上面カバー５を樹脂製とするので、人が乗ったり、腰掛けたりして力が掛かると簡単に撓み、上面カバー５がカッター１０に近付きすぎて危険なので、板金材等の剛体部材からなる導入部材１５を設けることによりチップ受け凹部５ａをカッター１０から遠ざけてある。
【００１４】
またチップ受け凹部５ａは陸上競技用トラック状の平面形状と略半円状の断面形状を有し、カッター１０の長手方向に沿う部分の両端にそれぞれ１／４球状の部分を設け、この種のシュレッダーの用紙投入口６が有する通常の平面積よりも広げてある。このため、図３に示すように、例えば紙詰まりでカッター１０を逆転させて裁断しようとしていた用紙１７を用紙投入口６の上方へ引き抜いた際に、用紙１７の下端から飛び散るチップ１７ａをほぼこぼさずにチップ受け凹部５ａ内へ受け止めることができる。もちろん用紙投入口６の形状としては図示の例のもの以外にも種々採用できる。
【００１５】
また上述のように、カッター１０とモータ１１を支持する中間板１３のカッター１０を覆う部分の底部は開放してあるが、その下側にはシャッター装置１８が設けてある。このシャッター装置１８は、図４〜８に示すように、一対のシャッターブレード１９、１９と、これらが連動するように駆動するためのシャッター開閉機構２０からなる。各シャッターブレード１９は、平面形状が矩形の板状でかつ先細の断面形状を有するブレード部２１と、円形の断面形状を有する軸部２２とからなり、シャッターブレード１９、１９が閉じた状態では図７に示すように、ブレード部２１の先端部分がオーバーラップして、カッター１０から落下するチップが装置本体１内へ落下しないようにしてある。図中２３は、シャッターブレード１９の上方回転位置を規制するためのストッパーとなるウレタンシート材である。
【００１６】
シャッター開閉機構２０は、前側のシャッターブレード１９の軸部２２の端部に形成したギヤ部２４、これに噛み合い得るギヤ２５、このギヤ２５の支持軸２５ａの端部に固定してあってギヤと一体に回転するカムプレート２６、カムプレート２６を一定方向に回転付勢するスプリング２７、ギヤ２５を挟んでカムプレート２６との反対側でギヤ２５の支持軸２５ａに設けたプーリ２８、後側のシャッターブレード１９の軸部２２の端部に取り付けたプーリ２９、両プーリ２８、２９の間に掛け回したタイミングベルト３０、及び前ドア３の開閉にシャッターブレード１９の開閉を連動させるために前ドア３の内側に設けた押し板３１とからなる。シャッターブレード１９の軸部２２端のギヤ部２４は、図９に示すように軸心周りで９０度だけ歯を設けてある。スプリング２７は、カムプレート２６が図７、８において右回転するように付勢している。なお図中３２、３３は、シャッターブレード１９の軸部２２をカッター部２のフレーム１２に取り付けるための支持プレート材であり、ギヤ２５やカムプレート２６等を取り付ける側（図４、５の左側）の支持プレート材３３は、図５、６に示すように他側の支持プレート材３２よりも大きく、スプリング２７の上端を固定できるようになっている。
【００１７】
前ドア３は、図２に示すように上方が広がった楔状の断面形状を有し、装置本体１及びカッター部２の前面から比較的大きく突出するようにした上部を開口してごみ投入口３４としてある。また、このごみ投入口３４は、前面内側にチップバスケット１６までごみがスムーズに滑落してゆくようにするためのスロープ部３５を一体成形してある。このスロープ部３５は、ごみ投入口３４の上部開口直下位置において若干凹んだ部位３６から若干前面側へ湾曲しつつ下方へ傾斜し、最もチップバスケット１６上に近付く下端部にひさし部３７を形成してある。このため、ごみ投入口３４は前ドア３の厚さより若干薄い程度の開口寸法を有し、大きめのごみ、例えばコピー用紙を丸めただけの紙ごみ等でも投入できるようになっている。またひさし部３７のため、ごみ投入口３４の上部開口３４ａから投入されたごみは、スロープ部３５上を落下し終えた後に、装置本体１と前ドア３との間に落下してしまうことがなく、ごみ投入口３４の下部開口３４ｂから確実にチップバスケット１６内へ落下する。なお部位３６は、その段差に指を掛かけることによって取っ手を兼ねるようになっている。
【００１８】
なお図示の例では、チップバスケット１６を装置本体１内から若干前ドア３側へ飛び出すサイズとし、ひさし部３７は前ドア３の装置本体側の面よりも内側に位置するようにしてあるが、この関係を逆にして、チップバスケット１６が装置本体１内は完全に納まるサイズとし、ひさし部３７の先端が前ドア３の装置本体側の面と面一になるかあるいは突出するようにしてもよい。
【００１９】
ところで、前ドア３のごみ投入口３４とした部位の装置本体側１には、前ドア３の背面を構成する部材がなく、カッター部２のフレーム１２の前面部１２ａが、ごみ投入口３４の下部開口３４ｂを残してごみ投入口３４とカッター部２内のカッター１０との間に介在している。図示の例では、図２に示すように、カッター１０とごみ投入口３４の上部開口３４ａとは略水平の位置関係となり、かつフレーム１２の前面部１２ａの下端がカッター１０の下端よりも下方に位置するように配置してある。このようにすると、ごみ投入口３４の上部開口３４ａの位置がより高くなってごみを投入しやすくなり、また、たとえ上述のシャッター装置１８がない状態で、ごみ投入口３４から人が手を入れても、手がカッター１０まで届かなくなり、怪我をする危険性が極めて小さくなる。なお、フレーム１２の前面部１２ａの下端がカッター１０よりも下側に位置すれば、カッター１０とごみ投入口３４の上部開口３４ａの位置関係は水平でなくてもよい。またフレーム１２の前面部１２ａに代えて、中間板１３あるいは別途設ける遮断のための部材がカッター１０やごみ投入口３４との上述の関係を有するようにしてもよい。
【００２０】
次に、前ドア３の開閉とシャッターブレード１９、１９の開閉動作の連動について説明する。図７は前ドア３を開けたためシャッターブレード１９、１９が閉じている状態を示す。この状態ではカムプレート２６がフリーなため、スプリング２７の付勢力によってカムプレート２６は図中右回転しており、図中左側に位置する前側のシャッターブレード１９の軸部２２のギヤ部２４がギヤ２５と噛み合い、前側のシャッターブレード１９は図示のように略水平となる位置まで上昇回転（図中左回転）し、ウレタンシート材２３に当たって停止している。またカムプレート２６の回転に伴ってタイミングベルト３０が駆動され、後側のシャッターブレード１９が図中右回転し、その先端は前側のシャッターブレード１９の先端上に乗ってオーバーラップした状態で停止している。即ち、前ドア３を開けてチップバスケット１６を取り出した状態でカッター部２側からチップが落ちてくると、装置本体１内に散乱してしまって清掃に手間が掛かるが、シャッターブレード１９先端のオーバーラップによってチップの落下は略完全にストップされる。
【００２１】
この状態から前ドア３を閉めると、押し板３１がカムプレート２６の下側に潜り込み、スプリング２７の付勢力に抗してカムプレート２６を図中左回転するように押し上げる。すると、シャッターブレード１９の軸部２２のギヤ部２４が９０度の範囲だけしか設けていないため、ギヤ２５と噛み合わなくなり、前側のシャッターブレード１９は水平状態から自重で下降回転（図中右回転）し、垂直に下方に垂れて図８の状態となる。またカムプレート２６の回転に伴ってタイミングベルト３０が駆動され、後側のシャッターブレード１９が図中左回転し、これも垂直に下方に垂れて図８の状態となる。これによってシャッターが開いた状態となり、カッター１０で裁断したチップや、シャッターブレード１９が閉じた状態でその上に乗ったチップが、ここで装置本体１内のチップバスケット１６内へ落下できる状態となる。なお押し板３１は、前ドア３ではなくチップバスケット１６の適宜個所に設けるようにすることも可能である。
【００２２】
この図８に示す状態では、前側のシャッターブレード１９の軸部２２がフリーの状態であるので、前側のシャッターブレード１９は、図７の水平状態と図８の垂下状態との間で自由に回転できる。このため、ごみ投入口３４から人が手を入れてごみ投入口３４の下部開口３４ｂからさらに装置内部へ手を進めようとすると、まず前側のシャッターブレード１９に手が当たり、手の進入に伴って押し上げられてカッター１０の下側を覆うので、カッター１０まで手を届かせることはできず、従って怪我をする危険性がほとんどなくなる。この構造で、しかもシャッター部２を装置本体１上から取り外せたり、単体で使用できるようにした場合、シャッター部２を持ち上げる等すると前ドア３の押し板３１がカムプレート２６を押し上げる状態でなくなるので、上記と同様にシャッターブレード１９、１９が閉じ、カッター１０に人や物が触れることがないようにできる。
【００２３】
また図８の状態では、スプリング２７がカムプレート２６の回転によって引き伸ばされた状態となり、カムプレート２６にはスプリング２７によって図中右回転するように付勢力が掛かる。このため前ドア３を開くと、これに連動してシャッターブレード１９、１９が先に説明した図７の状態に戻る。
【００２４】
なお以上説明してきた実施形態では、ドアとシャッターの連動構造を採用しているが、チップバスケットの装置本体内への挿入、取り出しとシャッターの開閉が連動するように構成することも考えられる。その場合、例えば装置本体の底部内側に適宜のセンサーを設けるとともに、そのセンサーの出力信号でシャッターブレードの開閉をトリガーできる手段を設ければよい。もちろん連動構造自体も種々のものを採用できる。また図示の実施形態では前ドア３の内部は空所のままで別段利用していないが、例えば前ドア３の装置本体１側の面全体を開放し、その内部にごみ袋を吊るすように構成することもできる。さらに、チップバスケット１６を前後に分割し、その後側の部分にカッター１０により裁断したチップが落下し、ごみ投入口３４から投入したごみは前側の部分に落下するように構成することもできる。
以上説明してきたように、カッターで裁断した紙屑等の落下経路を開閉する手段を設け、紙屑等を収納する容器の有無と落下路の開閉手段の開閉を連動させるようにすれば、人の手がカッターに触れてしまうことがなくなり、従って怪我をすることがなく、安全なものとなる。
また、カッターで裁断した紙屑等の落下経路を開閉する手段を設け、紙屑等を収納する容器を備える装置本体の開閉扉の開・閉と落下路の開閉手段の閉・開を連動させるようにすれば、人が手を入れてカッターに触れてしまうことがなくなり、従って怪我をすることがなく、安全なものとなる。
また、落下路の開閉手段をなす回転可能な一対のシャッターブレードを対向配置し、水平状態の閉位置において両シャッターブレードの先端が重なり合うようにすれば、容器を取り除いた状態でカッターから落下する裁断した紙屑等がシャッターブレードを越えて外側へ出てこなくなり、周辺を汚さずに済むようになる。
また、前方側のシャッターブレードを回転駆動するギヤ装置をカム装置で回転駆動するとともに、付勢手段によりカム装置を付勢して前方側のシャッターブレードが水平状態の閉位置を取るように構成し、ギヤ装置を、シャッターブレードの回転軸と一体回転する従動ギヤと、これに噛み合う駆動ギヤとから構成し、カム装置が、ギヤ装置の駆動ギヤと同軸のカムプレートと容器または開閉扉に設けたカムプレートを回転させる部材とから構成して連動手段とすれば、容器の出し入れや開閉扉の開閉動作のみで裁断した紙屑等の落下路を連動開閉できるようになる。
さらに、ギヤ装置の従動ギヤが、シャッターブレードの水平状態の閉位置と垂下状態の開位置の間に対応する角度分だけ歯を有する構成とすれば、シャッターブレードが開位置にある状態では前方側のシャッターブレードがフリーの状態となり、人が手を入れるとこのフリーのシャッターブレードを押し上げることになるため、シャッターブレードが開いていても手がカッターに触れたりすることを確実に防止できる。
またさらに、紙等の被裁断物をカッターへ導入するための部材が、広い凹状受け部を有するようにすれば、カッターの逆転時等に、細かく裁断された紙等の被裁断物が外側へこぼれて飛散したりすることがなくなり、周囲を汚さずに済む。
【００２５】
【発明の効果】
本発明に係るシュレッダーは、以上説明してきたように、カッターで裁断した紙屑等の落下経路を開閉する手段を設け、紙屑等を収納する容器を備える装置本体の開閉扉の開閉と落下経路の開閉手段の閉開を連動させ、連動手段によらず閉じることが可能であるようにしたので、装置本体の開閉扉が閉じた状態において手等が差し込まれた場合等に備えて扉を閉じた状態でも落下経路の開閉手段を閉じることができ、このため、人の手がカッターに触れてしまうことがなくなり、従って怪我をすることがなく、安全なものとなるという効果がある。
【図面の簡単な説明】
【図１】本発明に係るシュレッダーの一実施形態の斜視図である。
【図２】図１のシュレッダーの断面図である。
【図３】図１のシュレッダーのチップ受け部においてチップの飛散が防止されている状態を示す斜視図である。
【図４】図１のシュレッダーのシャッター装置の平面図である。
【図５】同正面図である。
【図６】同側面図である。
【図７】図４のシャッター装置でシャッターブレードを閉じた状態の側面図である。
【図８】同シャッターブレードを開いた状態の側面図である。
【図９】シャッターブレードの軸端のギヤを示す断面図である。
【符号の説明】
１  装置本体
２  カッター部
３  前ドア
４  キャスター
５  上面カバー
５ａ  チップ受け凹部
６  用紙投入口
７  操作パネル
８  電源スイッチ
９  凹部（運搬用の取っ手）
１０  カッター
１１  モータ
１２  カッター部のフレーム
１２ａ  カッター部のフレームの前面部
１３  中間板
１４  用紙導入口
１５  導入部材
１６  チップバスケット
１７  用紙
１７ａ  用紙を裁断したチップ
１８  シャッター装置
１９  シャッターブレード
２０  シャッター開閉機構
２１  シャッターブレードのブレード部
２２  シャッターブレードの軸部
２３  ウレタンシート材
２４  ギヤ部
２５  ギヤ
２５ａ  ギヤの支持軸
２６  カムプレート
２７  スプリング
２８、２９  プーリ
３０  タイミングベルト
３１  押し板
３２、３３  支持プレート材
３４  ごみ投入口
３４ａ  ごみ投入口の上部開口
３４ｂ  ごみ投入口の下部開口
３５  スロープ部
３６  スロープ部上部の凹んだ部位
３７  スロープ部のひさし部
【図１】
0003690708.tif 000002
【図２】
0003690708.tif 000003
【図３】
0003690708.tif 000004
【図４】
0003690708.tif 000005
【図５】
0003690708.tif 000006
【図６】
0003690708.tif 000007
【図７】
0003690708.tif 000008
【図８】
0003690708.tif 000009
【図９】
0003690708.tif 000010